(57)【要約】【課題】薄型キーのキー台とそのキー台を備えた薄型キーの提供。【解決手段】本考案は、一種の薄型キーに使用するキー台に関わるもので、主に枠体と底板を設ける。枠体はキーの固定および荷重を受ける。キーは枠体の下方向に押すことができる。底板は枠体に設け、キーの底面に接触する。底板は、キーを枠体の上方向の設定距離に突き上げる。キー台は、プラスチック材料を一体化成型により製造できるため、本考案のキー台で製造された薄型キーボードは低コスト、組立速い、製品品質が優れるなどの特長を有する。【選択図】図２
0003121909.tif 000002
【実用新案登録請求の範囲】
【請求項１】
枠体及び底板を含み、枠体はキーの固定および荷重を受け、キーは枠体の下方向に押すことができ、
底板は枠体上に設け、且つキーの底面に接触させ、底板はキーを枠体の上方向の設定距離に突き上げることを特徴とする一種の薄型キーのキー台。
【請求項２】
請求項１記載の薄型キーのキー台において、底板の設置数は、二つを互いに向かい合わせて枠体の上部に設けることを特徴とする薄型キーのキー台。
【請求項３】
請求項１記載の薄型キーのキー台において、底板に突起部を備え、突起部は底板の上表面に設け、突起部の高さは設定距離と同様であり、突起部はキーの底面に接触することを特徴とする薄型キーのキー台。
【請求項４】
請求項３記載の薄型キーのキー台において、突起部の設置数は、二つを互いに向かい合わせて底板の上部に設けることを特徴とする薄型キーのキー台。
【請求項５】
請求項１記載の薄型キーのキー台において、台の材質は、プラスチック材料構造であることを特徴とする薄型キーのキー台。
【請求項６】
請求項１記載の薄型キーのキー台において、台は一体化成型の台構造であることを特徴とする薄型キーのキー台。
【請求項７】
請求項１記載の薄型キーのキー台において、キーを枠体の下方向に押されたとき、底板は枠体へ徐々に進入することを特徴とする薄型キーのキー台。
【請求項８】
請求項１記載の薄型キーのキー台において、底板はさらに、弾性部材に予圧力量を加わることを特徴とする薄型キーのキー台。
【請求項９】
キー、台を含み、台は枠体、底板及び弾性部材を含み、
枠体はキーの固定および荷重を受け、キーは枠体の下方向に押すことができ、
底板は枠体上に設け、キーの底面に接触させ、底板はキーを枠体の上方向の設定距離に突き上げ、
弾性部材は台の底面に設け、台の底面に接触することを特徴とする薄型キーのキー台を備えた薄型キー。
【請求項１０】
請求項９記載の薄型キーのキー台を備えた薄型キーにおいて、底板の設置数は、二つを互いに向かい合わせて枠体の上部に設けることを特徴とする薄型キーのキー台を備えた薄型キー。
【請求項１１】
請求項９記載の薄型キーのキー台を備えた薄型キーにおいて、底板は突起部を備え、底板の上表面に設け、突起部の高さは設定距離と同様であり、突起部とキーの底面を接触することを特徴とする薄型キーのキー台を備えた薄型キー。
【請求項１２】
請求項９記載の薄型キーのキー台を備えた薄型キーにおいて、突起部の設置数は、二つを互いに向かい合わせて底板の上部に設けることを特徴とする薄型キーのキー台を備えた薄型キー。
【請求項１３】
請求項９記載の薄型キーのキー台を備えた薄型キーにおいて、台の材質は、プラスチック材料構造であることを特徴とする薄型キーのキー台を備えた薄型キー。
【請求項１４】
請求項９記載の薄型キーのキー台を備えた薄型キーにおいて、台の材質は、一体化成型構造であることを特徴とする薄型キーのキー台を備えた薄型キー。
【請求項１５】
請求項９記載の薄型キーのキー台を備えた薄型キーにおいて、キーを枠体の下方向に押されたとき、底板は枠体へ徐々に進入することを特徴とする薄型キーのキー台を備えた薄型キー。
【請求項１６】
請求項９記載の薄型キーのキー台を備えた薄型キーにおいて、そのうち、該底板は弾性部材に予圧力量を加わることを特徴とする薄型キーのキー台を備えた薄型キー。
【考案の詳細な説明】
【技術分野】
【０００１】
本考案は一種のキー機構、特に一種の薄型キー台に使用し、プラスチック材料により一体化成型を可能とする。
【背景技術】
【０００２】
公知技術の薄型キーボードに使用するキーは、架け橋機構により、キーを固定および荷重を受ける。架け橋機構はさらに、キーを下方向に押す行程を遂行する。
しかし、架け橋機構は二つの独立した台により組み合わせて、交差したＸ型構造を形成する。架け橋機構は複雑で、組立が難しいほか、組立のとき、台が折れやすい。組立完了後の架け橋機構から、折れた台を使用しているか否かの検査が困難である。このため、架け橋機構より製造された公知技術の薄型キーボードに、製造コスト高いおよび品質が管理しにくい課題が残っている。
【０００３】
本考案者は、公知技術の薄型キーボードに使用する架け橋機構の欠点に対する改善を鋭意に研究し、前記の公知技術の架け橋機構に取り代わる一種の薄型キー台を考案した。
【考案の開示】
【考案が解決しようとする課題】
【０００４】
本考案の台を実施した薄型キーボードは低コスト、組立速い、製品品質が優れるなどの特長を実現する一種の薄型キー台を提供することを第１の目的とする。
【０００５】
本考案の台を実施した台は低コスト、組立速い、製品品質が優れるなどの特長を実現する一種の薄型キー台を提供することを第２の目的とする。
【０００６】
本考案は前記の目的を実現するため、一種の薄型キー台を提供し、枠体と底板を設ける。枠体にキーの固定および荷重を受ける。キーは枠体の下方向に押すことができる。底板は枠体上に設け、キーの底面に接触する。底板は、キーを枠体の上方向の設定距離に突き上げる。
【０００７】
本考案は前記の目的を実現するため、本考案の薄型キーは少なくとも本考案の台、キーおよび弾性部材を設ける。
【課題を解決するための手段】
【０００８】
請求項１の考案は、枠体及び底板を含み、枠体はキーの固定および荷重を受け、キーは枠体の下方向に押すことができ、
底板は枠体上に設け、且つキーの底面に接触させ、底板はキーを枠体の上方向の設定距離に突き上げることを特徴とする一種の薄型キーのキー台としている。
請求項２の考案は、請求項１記載の薄型キーのキー台において、底板の設置数は、二つを互いに向かい合わせて枠体の上部に設けることを特徴とする薄型キーのキー台としている。
請求項３の考案は、請求項１記載の薄型キーのキー台において、底板に突起部を備え、突起部は底板の上表面に設け、突起部の高さは設定距離と同様であり、突起部はキーの底面に接触することを特徴とする薄型キーのキーとしている。
請求項４の考案は、請求項３記載の薄型キーのキー台において、突起部の設置数は、二つを互いに向かい合わせて底板の上部に設けることを特徴とする薄型キーのキー台としている。
請求項５の考案は、請求項１記載の薄型キーのキー台において、台の材質は、プラスチック材料構造であることを特徴とする薄型キーのキー台としている。
請求項６の考案は、請求項１記載の薄型キーのキー台において、台は一体化成型の台構造であることを特徴とする薄型キーのキー台としている。
請求項７の考案は、請求項１記載の薄型キーのキー台において、キーを枠体の下方向に押されたとき、底板は枠体へ徐々に進入することを特徴とする薄型キーのキー台としている。
請求項８の考案は、請求項１記載の薄型キーのキー台において、底板はさらに、弾性部材に予圧力量を加わることを特徴とする薄型キーのキーとしている。
請求項９の考案は、キー、台を含み、台は枠体、底板及び弾性部材を含み、
枠体はキーの固定および荷重を受け、キーは枠体の下方向に押すことができ、
底板は枠体上に設け、キーの底面に接触させ、底板はキーを枠体の上方向の設定距離に突き上げ、
弾性部材は台の底面に設け、台の底面に接触することを特徴とする薄型キーのキー台を備えた薄型キーとしている。
請求項１０の考案は、請求項９記載の薄型キーのキー台を備えた薄型キーにおいて、底板の設置数は、二つを互いに向かい合わせて枠体の上部に設けることを特徴とする薄型キーのキー台を備えた薄型キーとしている。
請求項１１の考案は、請求項９記載の薄型キーのキー台を備えた薄型キーにおいて、底板は突起部を備え、底板の上表面に設け、突起部の高さは設定距離と同様であり、突起部とキーの底面を接触することを特徴とする薄型キーのキー台を備えた薄型キーとしている。
請求項１２の考案は、請求項９記載の薄型キーのキー台を備えた薄型キーにおいて、突起部の設置数は、二つを互いに向かい合わせて底板の上部に設けることを特徴とする薄型キーのキー台を備えた薄型キーとしている。
請求項１３の考案は、請求項９記載の薄型キーのキー台を備えた薄型キーにおいて、台の材質は、プラスチック材料構造であることを特徴とする薄型キーのキー台を備えた薄型キーとしている。
請求項１４の考案は、請求項９記載の薄型キーのキー台を備えた薄型キーにおいて、台の材質は、一体化成型構造であることを特徴とする薄型キーのキー台を備えた薄型キーとしている。
請求項１５の考案は、請求項９記載の薄型キーのキー台を備えた薄型キーにおいて、キーを枠体の下方向に押されたとき、底板は枠体へ徐々に進入することを特徴とする薄型キーのキー台を備えた薄型キーとしている。
請求項１６の考案は、請求項９記載の薄型キーのキー台を備えた薄型キーにおいて、そのうち、該底板は弾性部材に予圧力量を加わることを特徴とする薄型キーのキー台を備えた薄型キーとしている。
【考案の効果】
【０００９】
本考案は、一種の薄型キーに使用するキー台に関わるもので、主に枠体と底板を設ける。枠体はキーの固定および荷重を受ける。キーは枠体の下方向に押すことができる。底板は枠体に設け、キーの底面に接触する。底板は、キーを枠体の上方向の設定距離に突き上げる。キー台は、プラスチック材料を一体化成型により製造できるため、本考案のキー台で製造された薄型キーボードは低コスト、組立速い、製品品質が優れるなどの特長を有する。
【考案を実施するための最良の形態】
【００１０】
図１に示すものは、本考案の薄型キー台１０構造の概略図である。本考案の薄型キー台１０は、薄型キーボードにとって、必須の重要部品である。本考案の台１０はプラスチック材料の一体化成型により製造できるため、本考案の台１０の製造コストが低いほか、組立簡単の長所を実現する。図１における台１０の機能は、キー２０の固定および荷重を受ける。キー２０は下方向に押されるときに移動できるほか、台１０のもう一つの働きは、キー２０を上方向に設定距離Ｄを突き上げることができる。台１０とキー２０を組立完了後、通常状態において、キー２０は台１０の突き上げの働きにより、キー２０と台１０の両者間に、下方向に押す操作距離(すなわち、設定距離Ｄ)を形成し、この操作距離は薄型キー全体の高さを低くできる。少なくとも、薄型キーの高さを設定距離Ｄの高さを低くすることができる。そして、キー２０は下方向の圧下力量を受けて、下方向に移動され、設定距離Ｄを移動した後、キー２０の底面は台１０の上表面と完全に接触される。
【００１１】
図２に示すものは、図１の台１０とキー２０の実施態様図であり、図３に示すものは、図２の台１０とキー２０の底面視立面図である。台１０に枠体１０１と底板１０３を設ける。
台１０１はキー２０の固定および荷重を受ける。台１０１の構造はさらに、キー２０を下方向に押す行程を遂行する。キー２０を上方向に設定距離Ｄを突き上げるため、本考案は台１０の上部に底板１０３を設ける。底板１０３はキー２０の底面に接触し、底板１０３はさらに、キー２０を上方向に設定距離Ｄを突き上げることができる。キー２０の上方向の突き上げ力量を均一に行え、キー２０の上表面は水平面を維持する。本考案の底板２０の設置数は、２枚を向かい合わせて台１０１に設ける。
【００１２】
図２における底板１０３は一つ以上の突起部１０３１を設け、突起部１０３１は底板１０３の上表面に設け、その高さは設定距離Ｄに同様である。突起部１０３１とキー２０の底面を接触した後、キー２０は突起部１０３１により、バランスよく突き上げられて、設定距離離Ｄを突き上げる。キー２０は下方向押す力量により、下方向へ次第に移動するとき、底板１０３は枠体１０１へ徐々に侵入し、設定距離Ｄを移動した後、底板１０３は枠体１０１へ完全に進入する。これにより、薄型キー全体の高さを低くさせ、少なくとも薄型キーの高さを設定距離Ｄ以上の高さを低くすることができる。突起部１０３１の設置数は二つを向かい合わせて、底板１０３の上表面に設ける。
【００１３】
図４に示すものは、本考案の台１０を実施した薄型キーの立体断面図であり、図５に示すものは、本考案の台１０実施した薄型キーの断面図である。本考案の底板１０３は、予圧(Ｐｒｅｌｏａｄ)の働きを提供し、突起部１０３１により、弾性部材１０５に対して、予圧を施すため、本考案の台１０の薄型キーは、キーが押される行程に、強い段差感覚がある。
【００１４】
本考案の台１０は一体化成型の特長を有し、公知技術の薄型キー架け橋機構のような煩雑な組立の欠点がない。その上、本考案の台１０は成型により、容易に生産できるため、薄型キーを製造するときに、多くの長所が与えられる。におけるコストが低いほか、組立簡単の長所を実現できる。
【図面の簡単な説明】
【００１５】
【図１】本考案の薄型キー台構造の表示図である。
【図２】図１における台とキーの好ましい実施例の立面図である。
【図３】図２における台とキーの底面視立面図である。
【図４】本考案の台を実施した薄型キーの立面断面図である。
【図５】本考案の台を実施した薄型キーの断面図である。
【符号の説明】
【００１６】
１０  台
２０  キー
１０１  枠体
１０３  底板
１０３１  突起部
１０５  弾性部材
【図１】
0003121909.tif 000003
【図２】
0003121909.tif 000004
【図３】
0003121909.tif 000005
【図４】
0003121909.tif 000006
【図５】
0003121909.tif 000007